(57)【特許請求の範囲】
【請求項１】
放射線管理区域への入退を管理する複数の入退域管理装置と、放射線管理区域への入退出時に該当入退域管理装置から無線通信による起動信号を受信した際に起動状態となって計測被ばく量を含む必要情報を無線で送受信する無線式線量計を有する無線式被ばく管理システムにおいて、
前記入退域管理装置は、前記起動信号を送信する際に当該起動信号に前記無線式線量計との通信を行う際に使用する固有の無線チャネルの情報を設定し、この設定が行われた起動信号を全ての入退域管理装置が共用する無線チャネルで送信する手段を備え、
前記無線式線量計は、前記起動信号を受信して起動状態となった後に当該起動信号中の設定情報に基づく固有の無線チャネルを用いて該当入退域管理装置と通信を行う手段を備えたことを特徴とする無線式被ばく管理システム。
【請求項２】
前記固有の無線チャネルの情報を予め設定しておく操作を行うスイッチを更に備えたことを特徴とする請求項１に記載の無線式被ばく管理システム。
【請求項３】
前記固有の無線チャネルの情報を記憶手段に予め設定することを特徴とする請求項１に記載の無線式被ばく管理システム。
【請求項４】
前記固有の無線チャネルの情報は、前記入退域管理装置の固有の識別情報をもとに作成されることを特徴とする請求項１に記載の無線式被ばく管理システム。
【請求項５】
前記入退域管理装置は、前記起動信号を電磁放射信号、赤外線信号、超音波信号の何れか１つで前記無線式線量計へ送信する手段を備え、
前記無線式線量計は、前記入退域管理装置から送信されてきた電磁放射信号、赤外線信号、超音波信号の何れか１つの信号を受信した際に起動状態となることを特徴とする請求項１から４の何れか１項に記載の無線式被ばく管理システム。
【請求項６】
前記入退域管理装置が前記無線式線量計を起動状態又は前記必要情報を送受信するための通信が各入退域管理装置で重ならないように指示するタイミング信号を各入退域管理装置へ送信する管理装置を更に備えたことを特徴とする請求項１から５の何れか１項に記載の無線式被ばく管理システム。
【発明の詳細な説明】
【技術分野】
【０００１】
本発明は、原子力施設の放射線管理区域又は同管理区域内の特定場所への出入りの際に、無線式線量計によって被ばく線量測定データ等を入退域管理装置との間で無線通信する無線式被ばく管理システムに関する。
【背景技術】
【０００２】
従来、放射線管理区域への立入り時において、無線式線量計と入退域管理装置との間で線量計番号や線量及び立入り時間警報値等を、また、管理区域からの退出時間にも同様に線量計番号や線量計測定データを無線で通信する技術が知られている。この種の技術として、特許文献１がある。特許文献１は、無線式線量計を持った者がアーチ状のアンテナをくぐる際に入退域管理装置であるゲート装置と通信するようになっている。
【特許文献１】特開２００３−９８２５８号公報
【発明の開示】
【発明が解決しようとする課題】
【０００３】
ところで、従来の無線式被ばく管理システムにおいては、入退域管理装置が複数台近傍位置に配置されている構成が多く、このような場合に、無線式線量計と通信している入退域管理装置の電波が干渉となって隣の入退域管理装置の通信に妨害を与え、無線式線量計と適正な通信が行えなくなるという問題がある。
上記特許文献１では、アーチ状のゲートをくぐる際に通信を行うようになっているが、電波干渉については言及されていないので、上記と同じ問題が生じる。
本発明は、このような課題に鑑みてなされたものであり、複数台近傍位置に配置された入退域管理装置同士の通信電波の干渉を無くすことができ、これによって無線式線量計と適正な通信を行うことができる無線式被ばく管理システムを提供することを目的としている。
【課題を解決するための手段】
【０００４】
上記目的を達成するために、本発明の請求項１による無線式被ばく管理システムは、放射線管理区域への入退を管理する複数の入退域管理装置と、放射線管理区域への入退出時に該当入退域管理装置から無線通信による起動信号を受信した際に起動状態となって計測被ばく量を含む必要情報を無線で送受信する無線式線量計を有する無線式被ばく管理システムにおいて、前記入退域管理装置は、前記起動信号を送信する際に当該起動信号に前記無線式線量計との通信を行う際に使用する固有の無線チャネルの情報を設定し、この設定が行われた起動信号を全ての入退域管理装置が共用する無線チャネルで送信する手段を備え、前記無線式線量計は、前記起動信号を受信して起動状態となった後に当該起動信号中の設定情報に基づく固有の無線チャネルを用いて該当入退域管理装置と通信を行う手段を備えたことを特徴とする。
【０００５】
この構成によれば、無線式線量計は、所望の入退域管理装置からの起動信号で起動した後は、その起動信号中の設定情報に基づく固有の無線チャネルで所望の入退域管理装置と無線通信を行う。従って、入退域管理装置が複数台近傍位置に配置されていても、個々が異なる無線チャネルで無線式線量計と通信を行うので、入退域管理装置同士の電波干渉が無くなり、これによって無線式線量計と適正な通信を行うことが可能となる。
【０００６】
また、本発明の請求項２による無線式被ばく管理システムは、請求項１において、前記固有の無線チャネルの情報を予め設定しておく操作を行うスイッチを更に備えたことを特徴とする。
この構成によれば、複数の入退域管理装置毎に固有の無線チャネルの情報を人がスイッチによって予め設定することができるので、複数人による目視確認などによって、無線式線量計が起動後に入退域管理装置と通信を行う無線チャネルを重複しないように設定することができる。
【０００７】
また、本発明の請求項３による無線式被爆管理システムは、請求項１において、前記固有の無線チャネルの情報を記憶手段に予め設定することを特徴とする。
また、本発明の請求項４による無線式被ばく管理システムは、請求項１において、前記固有の無線チャネルの情報は、前記入退域管理装置の固有の識別情報をもとに作成されることを特徴とする。
この構成によれば、所望の入退域管理装置が無線式線量計と通信を行う固有の無線チャネルの情報を、該当の入退域管理装置の固有の識別情報から作成するので、無線式線量計が起動後に通信を行う無線チャネルを重複しないように作成することができる。
【０００８】
また、本発明の請求項５による無線式被ばく管理システムは、請求項１から４の何れか１項において、前記入退域管理装置は、前記起動信号を電磁放射信号、赤外線信号、超音波信号の何れか１つで前記無線式線量計へ送信する手段を備え、前記無線式線量計は、前記入退域管理装置から送信されてきた電磁放射信号、赤外線信号、超音波信号の何れか１つの信号を受信した際に起動状態となることを特徴とする。
この構成によれば、入退域管理装置から起動信号を無線チャネル以外の電磁放射信号、赤外線信号、超音波信号の何れか１つの信号で無線式線量計へ送信するので、より適正に電波干渉を防止することができる。
【０００９】
また、本発明の請求項６による無線式被ばく管理システムは、請求項１から５の何れか１項において、前記入退域管理装置が前記無線式線量計を起動状態又は前記必要情報を送受信するための通信が各入退域管理装置で重ならないように指示するタイミング信号を各入退域管理装置へ送信する管理装置を更に備えたことを特徴とする。
この構成によれば、管理装置からの指示により通信タイミングが入退域管理装置同士で重ならないようになるので、自入退域管理装置が通信している時に他入退域管理装置の通信が干渉となることを完全に無くし、より無線式線量計と適正な通信を行うことができる。
【発明の効果】
【００１０】
以上説明したように本発明によれば、複数台近傍位置に配置された入退域管理装置同士の通信電波の干渉を無くすことができ、これによって無線式線量計と適正な通信を行うことができるという効果がある。
【発明を実施するための最良の形態】
【００１１】
以下、本発明の実施の形態を、図面を参照して説明する。但し、本明細書中の全図において相互に対応する部分には同一符号を付し、重複部分においては後述での説明を適時省略する。
（第１の実施の形態）
図１は、本発明の第１の実施の形態に係る無線式被ばく管理システムにおける無線式線量計を収納する充電貸出装置及び入退域管理装置の外観図である。また、図１に示す入退域管理装置３の外部構成を図２に示す。
【００１２】
図１に示す充電貸出装置１は、多数の無線式線量計２を保管すると共に充電するためのものである。
入退域管理装置３は、図２に示すように、情報を表示するディスプレイ装置３−１と、操作スイッチ３−２と、人のＩＤカードを設置し、人の識別情報を読み込むＩＤカード読取部３−３と、無線信号の送受信を行うアンテナ３−４とを備えて構成されている。
この入退域管理装置３は内部に、図３に示すように、ＣＰＵ３−６ａに、無線回路３−６ｂ、メモリ回路３−６ｄ、センターインタフェース回路３−６ｅ及びチャネル設定スイッチ３−６ｆを配線接続して各々を実装したプリント基板による入退域管理処理基板３−６を備えている。
【００１３】
ＣＰＵ３−６ａは、入退域管理装置３が行う無線式線量計２の管理処理を司るものである。無線回路３−６ｂは、入退域管理装置３との無線通信を行うものである。メモリ回路３−６ｄは、入退域管理装置３から受信した情報を記憶するものである。センターインタフェース回路３−６ｅは、管理センターに配置されている後述で説明するセンター管理装置６（図５参照）との接続インタフェースである。チャネル設定スイッチ３−６ｆは、無線式線量計２と通信を行うための無線周波数を無線式線量計毎に設定するものである。
【００１４】
また、入退域管理装置３は、ＣＰＵ３−６ａの制御に応じて無線回路３−６ｂから無線式線量計２を起動するための起動信号を送信するようになっている。
このような入退域管理装置３と通信を行う無線式線量計２は、図４に示すように、アンテナ２−１と、無線信号の送信／受信を行うＲＦ(Radio Frequency)部２−２と、無線式線量計全体を制御するＣＰＵ２−３と、線量計番号、人の識別情報、被ばく量計測値などの情報を記憶するメモリ部２−４と、被ばく量を計測する計測部２−５と、ブザーやＬＥＤ(Light emitting diode)などの音や光を出力する通知部２−６とを備えて構成されている。
【００１５】
また、入退域管理装置３は、図５に示すように、複数の入退域管理装置３Ａ，３Ｂ，３Ｃが、放射線管理区域１０の出入口に配列されており各々が通信ネットワーク５を介してセンター管理装置６に接続されている。各入退域管理装置３Ａ，３Ｂ，３Ｃのゲートを、例えば無線式線量計２Ａ，２Ｂ，２Ｃの各々を所持する者が通過するものとする。
【００１６】
次に、図５に示す無線式被ばく管理システムの入退域管理装置及び無線式線量計による被ばく管理処理の動作を、図６に示すシーケンス図を参照して説明する。但し、入退域管理装置３Ａ及び無線式線量計２Ａを代表して説明する。
無線式線量計２Ａは、充電貸出装置１に保管された状態では、線量計番号（線量計識別符号）のみの情報を保持している。つまり、線量計番号以外の情報は保持しておらず待機状態にある。そして、無線式線量計２Ａが充電貸出装置１から取り出されると起動待ち状態となる（Ｓ２−１）。
一方、入退域管理装置３Ａでは、人が所有するＩＤカードがＩＤカード読取部３−３に提示されると、ＩＤカード内の識別情報（ＩＤ情報）を読み取り、そのＩＤ情報を保持する（Ｓ３−１）。
【００１７】
次に、入退域管理装置３Ａは、近くにある無線式線量計２Ａを呼び出すために、無線回路３−６ｂを起動することによって、図７（ａ）に示す起動信号２１を送信する（Ｓ３−２）。この際、起動信号２１は、全ての無線式線量計２に対して共通の無線周波数（無線チャネル）で送信される。また、起動信号２１は、同期信号２１ａ、入退域管理装置識別符号２１ｂ、使用チャネル２１ｃ、誤り検出符号２１ｄを備えて構成されている。但し、誤り検出符号２１ｄの代わりに誤り訂正符号でもよい。なお、誤り検出符号２１ｄは省略可能である。
【００１８】
また、使用チャネル２１ｃは、チャネル設定スイッチ３−６ｆで設定された番号、メモリ回路３−６ｄに保持された番号、メモリ回路３−６ｄに保持された入退域管理装置識別符号２１ｂをもとに作成された番号の何れか１つである。その識別符号をもとに作成する番号とは、例えば入退域管理装置識別符号２１ｂのどこかの桁の数値、又は、入退域管理装置識別符号２１ｂをある値（例えば８）で割ったときの余りの数値である。
【００１９】
換言すれば、そのような数値を使用チャネル２１ｃとするようになっている。また、使用チャネル２１ｃは、上記の起動信号２１にて無線式線量計２Ａが起動後に入退域管理装置３Ａと通信を行う際に用いる固有の無線チャネルを指示するものであって、起動信号２１を送信した無線チャネルとは異なる。この例では使用チャネル２１ｃで指定される無線チャネルにも同符号２１ｃを付す。また、その設定された無線チャネル２１ｃで通信を行うステップを枠２０で囲んだ。
【００２０】
即ち、先の起動信号２１を受信した無線式線量計２Ａは、メモリ部２−４に起動信号２１中の情報を記憶し（Ｓ２−２）、起動信号２１の中で指定された無線チャネル２１ｃを用い、自無線式線量計２Ａの識別符号を載せた図７（ｂ）に示す線量計識別信号２２を、起動信号２１の中の入退域管理装置識別符号２１ｂで識別される入退域管理装置３Ａ宛に無線送信する（Ｓ２−３）。
【００２１】
線量計識別信号２２は、同期信号２２ａ、送信元線量計識別符号２２ｂ、送信先入退域管理装置識別符号２２ｃ、データ２２ｄ、誤り検出符号２２ｅで構成されている。但し、誤り検出符号２２ｄの代わりに誤り訂正符号でもよい。なお、誤り検出符号２２ｄは省略可能である。
この線量計識別信号２２を受信した入退域管理装置３Ａは、メモリ回路３−６ｄにその線量計識別信号２２中の情報を保持し（Ｓ３−３）、その中の送信元線量計識別符号２２ｂで識別される無線式線量計２Ａへ、次の要求又は設定情報等を図７（ｃ）に示す入退域管理装置識別信号２３として既に設定済みの無線チャネル２１ｃで無線送信する（Ｓ３−４）。
【００２２】
入退域管理装置識別信号２３は、同期信号２３ａ、送信元入退域管理装置識別符号２３ｂ、送信先線量計識別符号２３ｃ、データ２３ｄ、誤り検出符号２３ｅで構成されている。但し、誤り検出符号２３ｄの代わりに誤り訂正符号でもよい。なお、誤り検出符号２３ｄは省略可能である。
この入退域管理装置識別信号２３を無線式線量計２Ａが受信すると、その応答を入退域管理装置識別信号２３中の送信元入退域管理装置識別符号２３ｂで識別される入退域管理装置３Ａへ無線送信する（Ｓ２−４）。
【００２３】
入退域管理装置３Ａは、その応答を確認し、この結果の情報をディスプレイ装置３−１に表示する（Ｓ３−５）。この後、入退域管理装置３Ａは、Ｓ３−４とＳ３−５を、無線式線量計２ＡはＳ２−４を必要分繰り返し、通信を終わる時に入退域管理装置３Ａは終了の信号を無線式線量計２Ａへ送信する（Ｓ３−６）。
無線式線量計２Ａは、その終了の信号を受信すると（Ｓ２−５）、通信を終了する（Ｓ２−６）。なお、その通信終了は、本例のように通信終了してもよいし、無線式線量計２Ａから終了応答を送信してから通信終了としてもよい。
【００２４】
このような第１の実施の形態による無線式被ばく管理システムによれば、入退域管理装置３において、起動信号２１を送信する際に当該起動信号２１に無線式線量計２との通信を行う際に使用する固有の無線チャネル２１ｃの情報を設定し、この設定が行われた起動信号２１を全ての入退域管理装置３が共用する無線チャネル２１ｃで送信するＣＰＵ３−６ａ及び無線回路３−６ｂを備えた。また、無線式線量計２に、起動信号２１を受信して起動状態となった後に当該起動信号２１中の設定情報に基づく固有の無線チャネル２１ｃを用いて該当入退域管理装置３と通信を行うＲＦ部２−２、ＣＰＵ２−３、メモリ部２−４を備えた。
【００２５】
これによって、無線式線量計２は、所望の入退域管理装置３からの起動信号２１で起動した後は、その起動信号２１中の設定情報２１ｃに基づく固有の無線チャネル２１ｃで所望の入退域管理装置３と無線通信を行うことができる。従って、入退域管理装置３が複数台近傍位置に配置されていても、個々が異なる無線チャネルで無線式線量計２と通信を行うので、入退域管理装置３同士の電波干渉が無くなり、これによって無線式線量計２と適正な通信を行うことが可能となる。
【００２６】
また、入退域管理装置３に、固有の無線チャネル２１ｃの情報を予め設定しておく操作を行うチャネル設定スイッチ３−６ｆを更に備えた。これによって、複数の入退域管理装置３毎に固有の無線チャネルの情報を、人がチャネル設定スイッチ３−６ｆによって予め設定することができるので、複数人による目視確認などによって、無線式線量計２が起動後に入退域管理装置３と通信を行う無線チャネルを重複しないように設定することができる。この他、固有の無線チャネル２１ｃの情報は、メモリ回路３−６ｄなどの記憶手段に予め設定しておき、それをＣＰＵ３−６ａが読み出して使用するようにしてもよい。
【００２７】
また、固有の無線チャネルの情報は、入退域管理装置３の固有の識別情報をもとに作成して予め設定しても良い。これによって、所望の入退域管理装置３が無線式線量計２と通信を行う固有の無線チャネルの情報を、該当の入退域管理装置３の固有の識別情報から作成するので、無線式線量計２が起動後に通信を行う無線チャネルを重複しないように作成することができる。
【００２８】
（第２の実施の形態）
図８は、本発明の第２の実施の形態に係る無線式被ばく管理システムにおける入退域管理装置の外観図、図９は、入退域管理装置の内部構成図、図１０は、無線式線量計の内部構成図である。
第２の実施の形態が第１の実施の形態と異なる点は、入退域管理装置３の外面に電磁誘導部３−５を設けると共に、その内部に図９に示すように、ＣＰＵ３−６ａに接続して起動回路３−６ｃを設け、更に図１０に示すように、無線式線量計２にＣＰＵ２−３に接続して電磁誘導回路２−７を設けたことにある。
この場合、前述したように起動信号２１は無線チャネルに代え、後述で説明するように電磁誘導の電磁放射によって送出される。
【００２９】
即ち、電磁誘導部３−５は、起動回路３−６ｃに接続されており、上記図６のステップＳ３−１においてＩＤカード読取部３−３でＩＤカード内の識別情報（ＩＤ情報）が読み取られた際に、ステップＳ３−２において起動回路３−６ｃが起動信号２１を作成し、電磁誘導部３−５から電磁誘導の電磁放射による起動信号２１を送出する。そして、ステップＳ２−２において、無線式線量計２が電磁誘導回路２−７で起動信号２１を受信すると起動状態となる。
【００３０】
なお、電磁誘導部３−５及び電磁誘導回路２−７は、赤外線方式の場合、赤外線による起動信号を送出する赤外線回路であり、超音波方式の場合、超音波による起動信号を送出する超音波回路である。
このように、第２の実施の形態の無線式被ばく管理システムによれば、入退域管理装置３から起動信号２１を無線チャネル以外の電磁放射信号、赤外線信号、超音波信号の何れか１つの信号で無線式線量計２へ送信すれば、より適正に電波干渉を防止することができる。
【００３１】
（第３の実施の形態）
図１１は、本発明の第３の実施の形態に係る無線式被ばく管理システムにおける入退域管理装置及び無線式線量計の動作タイミングを説明するための第１のタイミング図、図１２は第１のタイミングに続く第２のタイミング図である。
第３の実施の形態の特徴は、各入退域管理装置３Ａ〜３Ｃが無線式線量計２に対して通信するタイミングを、センター管理装置６から各入退域管理装置３Ａ〜３Ｃに指示することにより重ならないようにしたことにある。また、第３の実施の形態に適用する無線式被ばく管理システムの構成は、上述した第１及び第２の実施の形態の構成の何れでもよい。
【００３２】
センター管理装置６は、所定のタイムスロット割り当てが発生した場合、図１１及び図１２に示すタイムスロットＴＳ１，ＴＳ２，ＴＳ３の切替タイミングを示すタイミング信号３１｛図１３（ａ）｝を通信ネットワーク５へ送信する。各入退域管理装置３Ａ〜３Ｃは、そのタイミング信号３１を検知することでタイムスロットＴＳ１〜ＴＳ３を認識可能となっている。各タイムスロットＴＳ１〜ＴＳ３の切替は、時刻ｔ１〜ｔ１２…ｔｎで示すように一定間隔で行われるようになっている。
【００３３】
タイミング信号３１は、図１３（ａ）に示すように、同期信号３１ａ、送信元のセンター番号３１ｂ、送信先のブロードキャスト情報（全入退域管理装置３Ａ〜３Ｃ宛であることを示す）３１ｃ、信号がタイムスロット信号であることを示す種別情報３１ｄ、どのタイムスロットが始まるかを示すタイムスロット番号３１ｅ、誤り検出符号３１ｆから構成されている。
【００３４】
例えば、最初に入退域管理装置３Ａが人の来たことを検知して図１１にＴ１で示す通信開始要求が実行されると、入退域管理装置３Ａはセンター管理装置６に対して、タイムスロット要求信号３２を送信する。このタイムスロット要求信号３２は、図１３（ｂ）に示すように、同期信号３２ａ、送信元の入退域管理装置番号３２ｂ、送信先のセンター管理装置６の番号であるセンター番号３２ｃ、信号がタイムスロット要求であることを示す種別情報３２ｄ、誤り検出符号３２ｅから構成されている。
【００３５】
そのタイムスロット要求信号３２を受信したセンター管理装置６は、その信号３２の中の入退域管理装置番号３２ｂを認識し、図１１に示すように、その入退域管理装置３Ａへタイムスロット指示信号３３を送信する。タイムスロット指示信号３３は、図１３（ｃ）に示すように、同期信号３３ａ、送信元のセンター番号３３ｂ、送信先の入退城管理装置番号３３ｃ、信号がタイムスロット指示であることを示す種別情報３３ｄ、使用可能なタイムスロット番号３３ｅ、誤り検出符号３３ｆから構成されている。
【００３６】
入退域管理装置３Ａは、センター管理装置６からのタイムスロット指示信号３３を受信し、その中の入退域管理装置番号３３ｃが自入退域管理装置３Ａ宛であることを確認すると、自装置３Ａの通信タイミングと判断し、同信号３３中のタイムスロット番号３３ｅの図１１に示すタイムスロットＴＳ１において、Ｔ２ａ，Ｔ２ｂで示すように無線式線量計２Ａに対して起動送信を行い、Ｔ３ａ，Ｔ３ｂで示すようにその無線式線量計２Ａから起動応答を受信する。この起動及び応答のシーケンス動作は、上述で図６を参照して説明したシーケンス動作と同様である。
【００３７】
同様に入退域管理装置３Ｂ，３Ｃにおいても、人の来たことを検知してＴ４，Ｔ５で示す通信開始要求が実行されると、センター管理装置６との間でタイムスロット要求信号３２及びタイムスロット指示信号３３を送受信して、入退域管理装置３ＢはタイムスロットＴＳ２を、入退域管理装置３ＣはタイムスロットＴＳ３を確保する。
そして、入退域管理装置３Ｂは、タイムスロットＴＳ２において、Ｔ６ａ，Ｔ６ｂで示すように無線式線量計２Ｂに対して起動送信を行い、Ｔ７ａ，Ｔ７ｂで示すようにその無線式線量計２Ｂから起動応答を受信する。入退域管理装置３Ｃは、タイムスロットＴＳ３において、Ｔ８ａ，Ｔ８ｂで示すように無線式線量計２Ｃに対して起動送信を行い、Ｔ９ａ，Ｔ９ｂで示すようにその無線式線量計２Ｃから起動応答を受信する。
【００３８】
また、各入退域管理装置３Ａ〜３Ｃ並びに当該入退域管理装置３Ａ〜３Ｃによって起動された無線式線量計２は、自入退域管理装置以外のタイムスロットにおいては、Ｔ１０，Ｔ１１，Ｔ１２で示すように信号の受信を停止して待機状態となる。例えば、時刻ｔ１のタイムスロットＴＳ１で起動、応答処理を行っていた入退域管理装置３Ａは、他の入退域管理装置３Ｂ，３Ｃ宛のタイミング信号３１をセンター管理装置６から受信すると、無線式線量計２Ａとの通信を中断し、次の自タイムスロットＴＳ１が来るまで待機状態となる。
【００３９】
なお、予めタイムスロット時間を決めておき、その時間になったら中断するようにしてもよく、更には、無線送信と無線受信とを１回ずつ行った際に中断するようにしてもよい。
待機状態の入退域管理装置３Ａは、時刻ｔ４で自装置宛のタイミング信号３１を受信して自タイムスロットＴＳ１であることを認識すると、無線式線量計２Ａとの間でＴ１３ａ，Ｔ１３ｂで示す要求処理、Ｔ１４ａ，Ｔ１４ｂで示す応答処理を行う。但し、その要求処理は図６のＳ３−４の処理、応答処理はＳ２−４の処理である。
【００４０】
同様に、待機状態の入退域管理装置３Ｂは、時刻ｔ５で自装置宛のタイミング信号３１を受信して自タイムスロットＴＳ２であることを認識すると、無線式線量計２Ｂとの間でＴ１５ａ，Ｔ１５ｂで示す要求処理、Ｔ１６ａ，Ｔ１６ｂで示す応答処理を行う。待機状態の入退域管理装置３Ｃは、図１２に渡って示す時刻ｔ６で自装置宛のタイミング信号３１を受信して自タイムスロットＴＳ３であることを認識すると、無線式線量計２Ｃとの間でＴ１７ａ，Ｔ１７ｂで示す要求処理、Ｔ１８ａ，Ｔ１８ｂで示す応答処理を行う。
この処理を継続し、例えば入退域管理装置３Ａであれば、時刻ｔ７のタイムスロットＴＳ１において無線式線量計２Ａとの間でＴ１９ａ，Ｔ１９ｂで示す継続処理、Ｔ２０ａ，Ｔ２０ｂで示す応答処理を行う。
【００４１】
そして、入退域管理装置３Ａが最後に、時刻ｔ１０のタイムスロットＴＳ１において無線式線量計２Ａとの間でＴ２１ａ，Ｔ２１ｂで示す終了処理、Ｔ２２ａ，Ｔ２２ｂで示す応答処理を行って無線通信が終了すると、入退域管理装置３Ａは、センター管理装置６へタイムスロット開放信号３４を送信する。このタイムスロット開放信号３４をセンター管理装置６が受信すると、タイムスロットＴＳ１への割り当てを終了する。この場合、タイムスロットＴＳ２とＴＳ３とが割り当てとなる。但し、その終了処理は図６のＳ３−６，Ｓ２−５，Ｓ２−６の処理である。
【００４２】
更に、入退域管理装置３Ｃが最後に、時刻ｔ９のタイムスロットＴＳ３において無線式線量計２Ｃとの間でＴ２３ａ，Ｔ２３ｂで示す終了処理、Ｔ２４ａ，Ｔ２４ｂで示す応答処理を行って無線通信が終了すると、入退域管理装置３Ｃは、センター管理装置６へタイムスロット開放信号３４を送信する。このタイムスロット開放信号３４をセンター管理装置６が受信すると、タイムスロットＴＳ３への割り当てを終了する。この場合、タイムスロットＴＳ２のみへの割り当てとなるので、入退域管理装置３Ｂのみが無線通信可能な状態となる。
【００４３】
この際の例として、入退域管理装置３Ｂは、例えば時刻ｔ８のタイムスロットＴＳ２において無線式線量計２Ｂとの間でＴ２５ａ，Ｔ２５ｂで示す要求処理を行ったが、その応答がない場合、次の時刻ｔ９〜ｔ１１間の他タイムスロットＴＳ３，ＴＳ１において待機状態となり、時刻ｔ１１の自タイムスロットＴＳ２においてリトライする。この例の場合、無線式線量計２Ｂとの間でＴ２５ａ，Ｔ２５ｂで示す要求処理、Ｔ２６ａ，Ｔ２６ｂで示す応答処理を行い、以降も継続状態となる。
【００４４】
なお、タイムスロットの発生は、必要な入退域管理装置３Ａ〜３Ｃの数だけタイムスロットＴＳ１〜ＴＳ３を発生するようにしてもよいが、この他に、常時入退域管理装置の全台数分のタイムスロットを発生するようにしてもよい。
このように第３の実施の形態の無線式被ばく管理システムによれば、入退域管理装置３Ａ〜３Ｃ毎に通信を実施するタイミングを制御し、センター管理装置６からの指示により通信タイミングが入退域管理装置同士で重ならないようにしたので、自入退域管理装置が通信している時に他入退域管理装置の通信が干渉となることを完全に無くし、より無線式線量計と適正な通信を行うことができる。
【図面の簡単な説明】
【００４５】
【図１】本発明の第１の実施の形態に係る無線式被ばく管理システムにおける無線式線量計を収納する充電貸出装置及び入退域管理装置の外観図である。
【図２】第１の実施の形態の入退域管理装置の外部構成を示す図である。
【図３】第１の実施の形態の入退域管理装置の内部構成を示すブロック図である。
【図４】第１の実施の形態の無線式線量計の内部構成を示すブロック図である。
【図５】第１の実施の形態に係る無線式線量計を管理する無線式被ばく管理システムの構成図である。
【図６】第１の実施の形態の無線式被ばく管理システムにおける入退域管理装置と無線式線量計の管理処理の動作を説明するためのシーケンス図である。
【図７】第１の実施の形態の入退域管理装置と無線式線量計との間で送受信される信号の構成を示し、（ａ）は起動信号、（ｂ）は線量計識別信号、（ｃ）は入退域管理装置識別信号の構成を示す図である。
【図８】本発明の第２の実施の形態に係る無線式被ばく管理システムにおける入退域管理装置の外部構成を示す図である。
【図９】第２の実施の形態の入退域管理装置の内部構成を示すブロック図である。
【図１０】第２の実施の形態の無線式線量計の内部構成を示すブロック図である。
【図１１】本発明の第３の実施の形態に係る無線式被ばく管理システムにおける入退域管理装置と無線式線量計の管理処理の動作を説明するための第１のタイミング図である。
【図１２】第３の実施の形態に係る無線式被ばく管理システムにおける入退域管理装置と無線式線量計の管理処理の動作を説明するための第２のタイミング図である。
【図１３】第３の実施の形態の入退域管理装置とセンター管理装置との間で送受信される信号の構成を示し、（ａ）はタイミング信号、（ｂ）はタイムスロット要求信号、（ｃ）はタイムスロット指示信号の構成を示す図である。
【符号の説明】
【００４６】
１  充電貸出装置
２  無線式線量計
２−１  アンテナ
２−２  ＲＦ部
２−３  ＣＰＵ
２−４  メモリ部
２−５  計測部
２−６  通知部
２−７  電磁誘導回路
３，３Ａ，３Ｂ，３Ｃ  入退域管理装置
３−１  ディスプレイ装置
３−２  操作スイッチ
３−３  ＩＤカード読取部
３−４  アンテナ
３−５  電磁誘導部
３−６  入退域管理処理基板
３−６ａ  ＣＰＵ
３−６ｂ  無線回路
３−６ｄ  メモリ回路
３−６ｅ  センターインタフェース回路
３−６ｆ  チャネル設定スイッチ
５  通信ネットワーク
６  センター管理装置
１０  放射線管理区域
２１  起動信号
２２  線量計識別信号
２３  入退域管理装置識別信号
３１  タイミング信号
３２  タイムスロット要求信号
３３  タイムスロット指示信号
３４  タイムスロット開放信号
【図１】
0004655927.tif 000002
【図２】
0004655927.tif 000003
【図３】
0004655927.tif 000004
【図４】
0004655927.tif 000005
【図５】
0004655927.tif 000006
【図６】
0004655927.tif 000007
【図７】
0004655927.tif 000008
【図８】
0004655927.tif 000009
【図９】
0004655927.tif 000010
【図１０】
0004655927.tif 000011
【図１１】
0004655927.tif 000012
【図１２】
0004655927.tif 000013
【図１３】
0004655927.tif 000014